(57)【要約】【課題】受配電盤に搭載された保護リレーの保護特性試験を主回路無停電で実施する電力監視システムの提供する。【解決手段】監視装置８により監視され、負荷３への電力を受配電する電力監視システムであって、負荷３への電力を供給する主回路に挿入される遮断器２と、遮断器２のトリップコイル４を付勢して遮断器２を動作させる保護リレー６と、保護リレー６の保護特性試験時に監視装置８からの指令により動作し、トリップコイル４を保護リレー６の付勢回路から切り離す制御リレー７とを備えた。【選択図】図１
2011004458.tif 000002
【特許請求の範囲】
【請求項１】
監視装置により監視され、負荷への電力を受配電する電力監視システムであって、
上記負荷への電力を供給する主回路に挿入される遮断器と、
上記遮断器のトリップコイルを付勢して上記遮断器を動作させる保護リレーと、
上記保護リレーの保護特性試験時に上記監視装置からの指令により動作し、上記トリップコイルを上記保護リレーの付勢回路から切り離す制御リレーと、
を備えたことを特徴とする電力監視システム。
【請求項２】
上記制御リレーの動作信号を上記監視装置へ伝送することを特徴とする請求項１に記載の電力監視システム。
【発明の詳細な説明】
【技術分野】
【０００１】
この発明は、電力監視システムに係り、特に、受配電盤保護リレーによる無停電自動点検機能付電力監視システムに関するものである。
【背景技術】
【０００２】
一般に、保護リレーを搭載した受配電盤の自動点検は、（１）保護リレーの動作により、主回路に挿入された遮断器の動作確認を行う保護特性試験、（２）保護リレーの内部機能により、決められた特性試験を実施した場合の入力と同じレベルの信号波形を内部で発生させ、保護リレーの保護回路を強制的に動作させて保護リレーの動作時間を計測し、良否を判定行う保護連動試験、（３）遮断器の制御回路より、実遮断を動作させ、遮断器操作時間を計測し、良否判定する遮断器操作連動試験、（４）停復電フローに基づく、商用停電発生から、復電時までの機器連動動作が、定められたパターンどおりであることを確認する停復電連動試験、が実施されている。
【０００３】
例えば、特許文献１には、多数の受配電盤にそれぞれ内蔵する保護リレーの動作試験を正確に短時間で行うために、保護リレーに対する計測入力と保護リレー試験器からのリレー要素別の動作試験入力との自動的順次切り替えと、保護リレーからの動作出力の自動取得を制御リレーとシーケンサで順次制御し、これらの動作試験入力の自動切り替えと動作時間計測をコンピュータから指令するシステムが提案されている。
【先行技術文献】
【特許文献】
【０００４】
【特許文献１】特開２００４−７７２５１号公報（段落０００９、図１）
【発明の概要】
【発明が解決しようとする課題】
【０００５】
しかし、保護リレーを搭載した受配電盤の自動点検では、受配電盤の自動点検を実施する際、保護リレーが動作するとその保護対象となる遮断器が動作し、遮断器以降の主回路が停電状態となる課題がある。
【０００６】
この発明は、上記課題を解決するためになされたもので、受配電盤に搭載された保護リレーの保護特性試験を主回路無停電で実施する電力監視システムの提供を目的とするものである。
【課題を解決するための手段】
【０００７】
この発明に係る電力監視システムは、監視装置により監視され、負荷への電力を受配電する電力監視システムであって、上記負荷への電力を供給する主回路に挿入される遮断器と、上記遮断器のトリップコイルを付勢して上記遮断器を動作させる保護リレーと、上記保護リレーの保護特性試験時に上記監視装置からの指令により動作し、上記トリップコイルを上記保護リレーの付勢回路から切り離す制御リレーと、を備えたものである。
【発明の効果】
【０００８】
この発明に係る電力監視システムによれば、負荷への電力を供給する主回路に挿入される遮断器と、上記遮断器のトリップコイルを付勢して上記遮断器を動作させる保護リレーと、上記保護リレーの保護特性試験時に監視装置からの指令により動作し、上記トリップコイルを上記保護リレーの付勢回路から切り離す制御リレーとを備えたので、保護リレーでの保護特性試験を主回路無停電で実施することができ、負荷へ影響を与えることなく、受配電盤の自動点検が実施できる効果がある。
【図面の簡単な説明】
【０００９】
【図１】この発明の実施の形態１に係る電力監視システムを説明するブロック構成図である。
【図２】この発明の実施の形態１に係る電力監視システムの動作を説明するフローチャートである。
【発明を実施するための形態】
【００１０】
以下、添付の図面を参照して、この発明に係る電力監視システムについて好適な実施の形態を説明する。なお、この実施の形態によりこの発明が限定されるものではない。
【００１１】
実施の形態１．
図１は、この発明の実施の形態１に係る電力監視システムを説明するブロック構成図である。図１において、主回路電源１には、遮断器２を介して負荷３が接続されている。遮断器２にはトリップコイル４が設けられており、トリップコイル４を付勢することにより遮断器２を開路するように構成されている。トリップコイル４は、制御電源回路５に接続される保護リレー６と後述する制御リレー７の常閉接点（以下、ｂ接点と言う。）７ｂとの直列接続回路に直列に接続されている。なお、符号７ａは制御リレー７の常開接点（以下、ａ接点と言う。）を示し、この制御リレー７のａ接点７ａは、ｂ接点と並列に設けられるとともに、保護リレー６の付勢回路にも設けられている。
【００１２】
指令手段となる監視装置８に伝送路９を介して伝送端末１０が接続されており、この伝送端末１０は監視装置８からの指令により動作するように構成されている。制御リレー７は、伝送端末１０の出力部１１に接続されており、また、伝送端末１０の入力部１２に制御リレー７のａ接点７ａおよびｂ接点７ｂが並列に接続されている。
【００１３】
実施の形態１に係る電力監視システムは上記のように構成されており、次にその動作について説明する。図２は実施の形態１に係る電力監視システムの動作を説明するフローチャートである。
【００１４】
図２において、監視装置８から保護リレー６の試験切替信号が出力されると（ステップＳ２０）、伝送端末１０の出力部１１に接続された制御リレー７が付勢される（ステップＳ２１）。
【００１５】
制御リレー７の付勢により、そのａ接点７ａが閉路するとともに、ｂ接点７ｂが開路し、トリップコイル４が制御電源回路５から切り離される（ステップＳ２２）。
【００１６】
トリップコイル４が制御電源回路５から切り離されると保護リレー６は、図示しない接点の開閉動作を繰り返し、前述の保護特性試験を実施する（ステップＳ２３）。なお、この場合、トリップコイル４は制御電源回路５から切り離されており、トリップコイル４が保護リレー６の保護特性試験を実施により付勢されることはない。従って、遮断器２は閉路状態にあり、負荷３への電力の供給は実施された状態を維持し、保護リレー６の保護特性試験による負荷への影響はない。
【００１７】
また、制御リレー７のａ接点７ａが閉路し、ｂ接点７ｂが開路することにより、伝送端末１０の入力部１２にその信号が入力され（ステップＳ２４）、伝送端末１０から監視装置８に伝送路９を介して伝送される（ステップＳ２５）。この伝送端末１０から監視装置８へのアンサーバックにより、監視装置８では、トリップコイル４が制御電源回路５から切り離されていることが確認できる（ステップＳ２６）。
【００１８】
以上のように、実施の形態１に係る電力監視システムによれば、保護リレー６での保護特性試験を主回路無停電で実施することができ、負荷へ影響を与えることなく、受配電盤の自動点検を実施できる効果がある。また、保護リレー６での保護特性試験を主回路無停電で実施していることを監視装置８により確認することができる。
【符号の説明】
【００１９】
１  主回路電源
２  遮断器
３  負荷
４  トリップコイル
５  制御電源回路
６  保護リレー
７  制御リレー
７ａ  制御リレーのａ接点
７ｂ  制御リレーのｂ接点
８  監視装置
９  伝送路
１０  伝送端末
１１  出力部
１２  入力部
【図１】
2011004458.tif 000003
【図２】
2011004458.tif 000004